(57)【特許請求の範囲】
【請求項１】
容器上面に複数本の瓶体を立て並べ、この立て並べた瓶体の上に当該他の容器を載せてさらに瓶体を立て並べることができるように形成された容器であって、
前記容器上面に瓶体底部が嵌入する凹部が複数設けられ、各凹部と位置対応した容器下面に瓶体頂部が嵌入するリブが設けられているとともに、
前記各凹部は胴外形が円形である円形瓶体の胴部の略半周面が接する湾曲した壁面部と、胴外形が角形である角形瓶体の胴部の少なくとも二つの角部に挟まれた周面部が接する折れ曲がった壁面部を向かい合わせに配して形成され、
凹部に嵌入された円形、角形何れの瓶体も前記壁面部で底部の移動が規制されて嵌入位置に保持されるように構成された瓶体陳列用容器。
【請求項２】
凹部の壁面部に、瓶体外周面と係合する上下方向に延びた突条を設けた請求項１に記載の瓶体陳列用容器。
【発明の詳細な説明】
【０００１】
【発明の属する技術分野】
本発明は、ＰＥＴボトルなどの瓶体を複数立て並べ、且つ多段に積んで陳列する際に用いられる合成樹脂製の容器に関する。
【０００２】
【従来の技術】
ＰＥＴボトル（以下、ボトルという）は内容量の違いによりサイズや外形状などが異なり、主として容量が０．５リットルで胴部が円形又は角形のもの、容量が１．５リットルで胴部が円形のもの、及び容量が２リットルで胴部が角形のものが多用されている。
これらボトルは販売店で保冷ケースなどに収納されて陳列される他、容量１リットル以上のボトルは専用のトレーに立て並べて陳列され、容量０．５リットルのものはボトルが梱包された段ボール箱の上半分を切り取り、下半分をトレーに代用して立て並べて陳列されていた。
【０００３】
【発明が解決しようとする課題】
容量０．５リットルのボトルを梱包段ボール箱を用いて陳列する方法は簡易ではあるが見栄えが悪く、段ボールの強度が低いため、多段に積み重ねた際に上下段ボール箱の積み重ね位置がずれていたりすると歪みが生じて崩れたりボトルが転倒したりする虞れがあった。また、梱包段ボール箱は、ボトルの外形状が円形のものと角形のものとでは寸法が異なっているため、同じ段ボール箱の上に円形のボトルと角形のボトルを混ぜて立て並べることができなかった。
【０００４】
本発明は従来技術の有するこのような問題点に鑑み、ボトルなどの瓶体を見やすく且つ見栄え良く陳列するのに適した合成樹脂製の容器において、外形上の異なる瓶体を複数混ぜて立て並べ、且つ多段に安定して積み重ねることができるようにすることを課題とする。
【０００５】
【課題を解決するための手段】
市場に出回っている容量０．５リットルのボトルは、胴外形（断面）が円形のものと角形のものとでは胴部の寸法が異なり、専用トレーとしての陳列用容器を何れかの寸法に合わせて形成すると円形、角形双方のボトルを一緒に陳列することができない。他方、胴外形が異なっていてもボトルの高さは略同じなので、円形、角形双方のボトルを容器上に安定して立て並べることができれば、異なる胴外形のものを混ぜ合わせて多段に陳列することが可能である。
【０００６】
そこで本発明の瓶体陳列用容器は、容器上面に複数本の瓶体を立て並べ、この立て並べた瓶体の上に当該他の容器を載せてさらに瓶体を立て並べることができるように形成された容器であって、前記容器上面に瓶体底部が嵌入する凹部が複数設けられ、各凹部と位置対応した容器下面に瓶体頂部が嵌入するリブが設けられているとともに、前記各凹部は胴外形が円形である円形瓶体の胴部の略半周面が接する湾曲した壁面部と、胴外形が角形である角形瓶体の胴部の少なくとも二つの角部に挟まれた周面部が接する折れ曲がった壁面部を向かい合わせに配して形成され、凹部に嵌入された円形、角形何れの瓶体も前記壁面部で底部の移動が規制されて嵌入位置に保持されるように構成した。
【０００７】
これによれば、胴外形が円形、角形何れの瓶体も胴部を凹部内の湾曲した壁面部と折れ曲がった壁面部に接触させて瓶体底部の移動が規制され、凹部内で傾くことなく立設する。容器に立て並べた瓶体の上にさらに他の容器を載せた状態で、瓶体頂部の移動が容器下面のリブで規制されるため、多段に積んでも瓶体の位置がずれたり傾いたりすることはない。
【０００８】
上記構成において、凹部の壁面部に、瓶体外周面と係合する上下方向に延びた突条を設ければ、突条により瓶体のガタつきが防止され、瓶体を安定的に凹部内の所定位置に固定できて好ましい。
【０００９】
なお、本発明の容器は、ガラス製の瓶体など、ＰＥＴボトル以外の瓶体の陳列にも利用できるものである。
【００１０】
【発明の実施の形態】
本発明の好適な実施例を図面を参照して説明する。
図１〜図５は本発明の一実施形態を示し、それぞれ図１は陳列用容器の斜視図、図２は容器の上面と下面を示した図、図３は容器上面に設けられた凹部の形状を説明するための図、図４は図２のIV−IV線断面図、図５は空の容器を積み重ねた状態を示している。
【００１１】
陳列用容器１は四隅を曲面とした平面視略矩形を呈し、その容器上面２に、容量０．５リットルのボトルの底部が嵌入可能な大きさの凹部２１を縦４列、横６列で並設し、計２４本のボトルを立て並べることができるように形成されている。
【００１２】
各凹部２１は、ボトル底面が接する上面部２３から上方に突出した適宜高さの仕切り壁面部２２によってボトルの胴部が略一杯に嵌まって外周を包囲する形状に画され、凹部２１にボトルを嵌入した状態で隣接したボトルと接触せず、且つ倒れ難いように設けられている。
【００１３】
詳しくは、図３に示されているように、各凹部２１を画する仕切り壁面部２２は、胴外形が円形のボトル４の胴部外径と略同曲率で湾曲していて円形ボトル４の胴部の略半分の外周面が接する湾曲壁面部２１１と、胴外形が角形のボトル５の胴部の少なくとも二つの角部５１，５１と接するテーパ面部２２２ａ，２２２ａと両テーパ部の間の平面部２２２ｂとにより角形ボトル５の胴部の両角部５１，５１間の外周面が接する折曲壁面部２２２を有し、これら両壁面部が互いに向かい合わせに配されている。
両壁面部は、湾曲壁面部２２１と平面部２２２ｂとの間隔が円形ボトル４の胴部外径Ｂ4 と略同じか若干大きくなるように設定され、湾曲壁面部２２１とテーパ面部２２２ａとの間隔が角形ボトル５の対向位置の角部５１，５１間の長さＢ5 と略同じか若干大きくなるように設定されており、凹部２１内において、円形ボトル４は胴部の略半周面が湾曲壁面部２２１に接し、これと対向する胴部の他の周面の一部が折曲壁面部２２２と接して、また、角形ボトル５は胴部の一側の角部５１，５１間の周面が折曲壁面部２２２に接し、これと対向する胴部の他の角部が湾曲壁面部２２１と接して、それぞれ移動が規制され嵌入位置に固定されるようになっている。
凹部２１内で円形ボトル４の中心４ａと角形ボトル５の中心５ａは、湾曲壁面部２２１と折曲壁面部２２２の平面部２２２ｂを結んだ直線方向（図３中矢符Ｂ4 方向）に沿って若干ずれた位置となる。
【００１４】
また、容器下面３には、その周縁に下方に突出した側壁部３１が設けられているとともに、容器上面３の各凹部２１と対応する位置、すなわち各凹部２１の裏面に、側壁部３１と同じ長さ下方に突出したボトル頂部が嵌入可能な大きさの円形のリブ３２が設けられている。
リブ３２は凹部２１を画する仕切り壁面部２２よりも小径に設定され、また、側壁部３１は仕切り壁面部２２よりも外側に位置をずらして設けられており、空の容器同士を重ねたときに、側壁部３１及びリブ３２と仕切り壁面部２２とが衝当し合わずに容器上面２が容器下面３内に嵌まり込み、低く重ねて積めるようになっている（図５参照）。
【００１５】
凹部２１は、図６に示されているように、その壁面部に円形ボトル４、角形ボトル５の外周面と係合する上下方向に延びた突条を設け、凹部２１内にボトルが安定的に固定されるように形成することができる。
詳しくは、図示されているように、湾曲壁面部２２１と折曲壁面部２２２の間で対向した壁面部２２３，２２３と、折曲壁面部２２２の平面部２２２ｂとに円形ボトル４の外周面と係合する突条２２ａ，２２ａ及び突条２２ｂ，２２ｂをそれぞれ設け、また、折曲壁面部２２２のテーパ面部２２２ａ，２２２ａに角形ボトル５と係合する突条２２ｃ，２２ｃを設けてある。
このように突条を配置すれば、円形、角形何れのボトルを凹部２１内に嵌入しても、突条がボトルの胴部外周面に係合してボトルの位置がずれたりガタついたりすることを防止し、ボトルを凹部２１内の所定位置に固定することが可能となる。
なお、各突条はボトルに係合する適宜な突出幅及び長さのものとし、突条２２ａ〜２２ｃの何れか一つを選択的に設けてもよい。
【００１６】
また、凹部２１を画する仕切り壁面部２２は、図７及び図８に示されているように、角形ボトル５の角部と接するテーパ面部を設けずに、角形ボトル５の角部５１，５１間の一辺の外周面が接するように平面部２２２ｂを配して折曲壁面部２２２を構成し、これを円形ボトル４の胴部の略半分の外周面が接する湾曲壁面部２１１と向かい合わせに配した構成とすることができる。
この場合、凹部２１内において、円形ボトル４は胴部の略半周面が湾曲壁面部２２１に接し、これと対向する胴部の他の周面の一部が平面部２２２ｂと接して、角形ボトル５は胴部の一辺の周面が平面部２２２ｂに接し、これと対向する胴部の他の一辺の周面を挟む両角部が湾曲壁面部２２１と接して、それぞれ移動が規制され嵌入位置に固定される。
【００１７】
さらに、凹部２１を画する仕切り壁面部２２は、図９及び図１０に示されているように、円形ボトル４の胴部の略半分の外周面が接する湾曲壁面部２２１と、角形ボトル５の三つの角部５１，５１，５１間の二辺の外周面が接するように平面部２２２ｂ，２２２ｂを配した折曲壁面部２２２とを向かい合わせに配した構成とすることができる。
詳しくは、折曲壁面部２２２は直交させた平面部２２２ｂ，２２２ｂの両端に直角に折れた折曲部２２２ｃ，２２２ｃを設けてなり、湾曲壁面部２２１は前記折曲部２２２ｃ，２２２ｃに連ねて設けられられている。両壁面部は、凹部２１内に円形ボトル４と角形ボトル５を入れたときに、円形ボトル４の胴部周面が湾曲壁面部２２１に接し、これと対向する胴部の他の周面が平面部２２２ｂ，２２２ｂと接して、角形ボトル５は胴部の二辺の周面と三つの角部５１，５１，５１が折曲壁面部２２２の平面部２２２ｂ，２２２ｂと折曲部２２２ｃ，２２２ｃに内接して、それぞれ嵌入位置に保持されるようになっている。
凹部２１内で円形ボトル４の中心４ａと角形ボトル５の中心５ａは、湾曲壁面部２２１の中点と、平面部２２２ｂ，２２２ｂの交点を結んだ直線方向（図１０中矢符Ｂ5 方向）に沿って若干ずれた位置となる。
【００１８】
またさらに、凹部２１を画する仕切り壁面部２２は、図１１及び図１２に示されているように、円形ボトル４の胴部の外周面が接する湾曲壁面部２２１と、角形ボトル５の角部５１が接するように折曲壁面部２２２を交互に連ねて配した構成とし、凹部２１内に円形ボトル４を入れたときには胴部周面が各湾曲壁面部２２１に接し、角形ボトル５を入れたときには各角部５１が各折曲壁面部２２２に接してそれぞれ嵌入位置に保持されるように設けることもできる。
【００１９】
このように形成された本発明の陳列用容器１によれば、容器上面２の各凹部２１内に円形ボトル４又は角形ボトル５を嵌め入れ、その上に他の容器１及びボトル４，５を載せて多段に積み重ねることができる。
凹部２１に嵌め入れた各ボトル４，５は、それぞれ胴部を湾曲壁面部２２１と折曲壁面部２２２とに接触させて底部の移動が規制され、凹部２１内で傾くことなく安定して立設する。また、これらボトル４，５の上に容器１を載せた状態で、容器下面３の円形のリブ３２内にボトル頂部が嵌まり込むため、ボトル頂部の移動がリブ３２によって規制され、各ボトル４，５の立設位置をずらすことなく安定した状態で多段に積み重ねられる。
また、容器１を介してボトル４，５を多段に積んだ場合、フロアーに接地する最下段の容器には大きな荷重がかかるが、各凹部２１の裏面にリブ３２を設け、これらリブ３２と容器下面３の側壁部３１とを接地させて下方荷重に対する容器の支持強度を高めてあるので、上段のボトル４，５の重みで容器が歪んだりするようなことはなく、積み重ねたボトルを安定的に支持する。
【００２０】
【発明の効果】
本発明の瓶体陳列用容器によれば、外形状の異なる瓶体を混ぜ合わせて複数本立て並べ、且つ多段に安定して積み重ねることができ、瓶体を見やすく且つ見栄え良く陳列することができる。
【図面の簡単な説明】
【図１】本発明の一実施形態の陳列用容器の斜視図である。
【図２】図１の容器の上面及び下面を示した図である。
【図３】図１の容器上面に設けられた凹部の形状を説明するための図である。
【図４】図２のＩＶ−ＶＩ線に沿った断面図である。
【図５】図１の空の容器を積み重ねた状態を示した図である。
【図６】凹部内に突条を設けた実施形態を説明するための図である。
【図７】凹部の形態を変形した陳列用容器の上面の概略図である。
【図８】図７の凹部の形態を説明するための図である。
【図９】凹部の形態をさらに変形した陳列用容器の上面の概略図である。
【図１０】図９の凹部の形態を説明するための図である。
【図１１】凹部の形態をまたさらに変形した陳列用容器の上面の概略図である。
【図１２】図１１の凹部の形態を説明するための図である。
【符号の説明】
1：陳列用容器         2：容器上面        21：凹部
22：仕切り壁面部     221：湾曲壁面部     222：折曲壁面部
3：容器下面          31：側壁部          32：リブ
4：円形ボトル         5：角形ボトル
【図１】
0004347480.tif 000002
【図２】
0004347480.tif 000003
【図３】
0004347480.tif 000004
【図４】
0004347480.tif 000005
【図５】
0004347480.tif 000006
【図６】
0004347480.tif 000007
【図７】
0004347480.tif 000008
【図８】
0004347480.tif 000009
【図９】
0004347480.tif 000010
【図１０】
0004347480.tif 000011
【図１１】
0004347480.tif 000012
【図１２】
0004347480.tif 000013